(57)【要約】【課題】交替、携帯、保管が非常に容易なメーキャップ用塗布具及びこれを用いた塗布化粧品を提供する。【解決手段】外周面に雄ねじ部１９０ｂが形成された容器１３０と、前記容器１３０に締結された塗布具１７０と、前記塗布具１７０が着脱可能に支持された取っ手１２０とを備え、前記塗布具１７０は、前記容器１３０内に収容される塗布部１８０と、前記塗布部１８０が支持され、前記取っ手１２０に着脱可能に挿入される支持キャップ１１０と、前記支持キャップ１１０の内周面に形成され、前記雄ねじ部１９０ｂと締結される雌ねじ部１９０ａを有している。【選択図】図１
2010012223.tif 000002
【特許請求の範囲】
【請求項１】
塗布部と、
前記塗布部を支持する支持キャップと、
前記支持キャップの内周面に形成される雌ねじ部とを備えた
ことを特徴とするメーキャップ用塗布具。
【請求項２】
前記塗布部を、マスカラブラシと、前記マスカラブラシを支持する鉄線と、一端が前記鉄線を支持し、他端が前記支持キャップに固定されるブラシ台とから構成した
ことを特徴とする請求項１記載のメーキャップ用塗布具。
【請求項３】
前記マスカラブラシを、径の大きい第１マスカラブラシと、前記第１マスカラブラシより径の小さい第２マスカラブラシとから構成し、
前記第２マスカラブラシを、前記第１マスカラブラシに対して傾斜するように配置した
ことを特徴とする請求項２記載のメーキャップ用塗布具。
【請求項４】
前記塗布部を、リップスティックブラシと、前記リップスティックブラシを支持する芯部と、一端が前記芯部を支持し、他端が前記支持キャップに固定されるブラシ台とから構成した
ことを特徴とする請求項１記載のメーキャップ用塗布具。
【請求項５】
外周面に雄ねじ部が形成された容器と、
前記容器に締結された塗布具と、
前記塗布具が着脱可能に支持された取っ手とを備え、
前記塗布具は、前記容器内に収容される塗布部と、前記塗布部が支持され、前記取っ手に着脱可能に挿入される支持キャップと、前記支持キャップの内周面に形成され、前記雄ねじ部と締結される雌ねじ部を有する
ことを特徴とする塗布化粧品。
【請求項６】
前記支持キャップの外周面に、結合突起を設け、
前記取っ手の内周面には、前記結合突起と係合する結合溝を設けた
ことを特徴とする請求項５記載の塗布化粧品。
【発明の詳細な説明】
【技術分野】
【０００１】
本発明は、目または唇をメーキャップする塗布具及びこれを用いた塗布化粧品に関するものであって、特に、塗布具自体が容器と締結されている状態で取っ手に着脱可能に結合されて交替、取扱及び携帯が容易なメーキャップ用塗布具及びこれを用いた塗布化粧品に関するものである。
【背景技術】
【０００２】
一般的に、通常のマスカラは、マスカラブラシとブラシ台が一体に備えられており、使用者が睫を整えるために用いられる。しかしながら、使用者は、通常の直線形状のロングラッシュマスカラブラシを睫に接触させて化粧する場合、睫を均一に巻き上げることが容易でなく、睫の化粧に多く時間がかかるとともに、使用者の希望する睫を実現することができなかった。それ故、使用者は睫を整えて巻き上げることができるように形成されたカーリングマスカラブラシを用いている。即ち、睫を均一に巻き上げることができるようになっているカーリングマスカラブラシは、ブラシが目の曲線ラインと対応する曲線をなすように形成されたものであり、通常の直線形状のロングラッシュマスカラブラシの短所を解消するようになっている。また、睫が濃く見えるようにするためには、ボリュームマスカラブラシを用いることにより前記ロングラッシュマスカラブラシの短所を解消するようになっている。
【０００３】
従って、使用者は、睫を濃く見えるようにする時や、睫を整えて巻き上げる時、直線形状のロングラッシュマスカラブラシの外にボリュームマスカラブラシ（台形）やカーリングマスカラブラシ（ラグビーボール形）を別途購入するようになっている。ここで、マスカラブラシとは、蓋とブラシ台とブラシ部とが一体で販売されることを言う。
【０００４】
しかしながら、前記のようなボリュームマスカラブラシやカーリングマスカラブラシは、ロングラッシュマスカラブラシに用いられる蓋を使用することができず、容器等のデザイン及びカラー等のコストが加わり高価であるため、一般の消費者は、ボリュームマスカラブラシやカーリングマスカラブラシを購入することなく、直線形状のロングラッシュマスカラブラシのみを用いている。
【０００５】
このような問題を解決するための従来のブラシを交替可能なマスカラは、図５に示すように、ブラシ台１０と蓋２０とが一体に設けられ、前記ブラシ台１０の一側端部に結合溝１１が設けられている。結合溝１１には、ブラシ交替部７０の結合部６０が着脱可能となるように設けられている。また、前記蓋２０は、液状のマスカラ液８０が貯蔵されている容器３０と螺旋形の締結部９０とで結合されるようになっている。また、ブラシ交替部７０は、結合部６０と鉄線５０とが一体に設けられ、前記鉄線５０の外周面には同心円状にマスカラ毛４１が設けられ、ブラシ部４０が構成されている。
【発明の概要】
【発明が解決しようとする課題】
【０００６】
しかしながら、前記ブラシを交換可能なマスカラは、ブラシ台１０に取り付けられていないブラシ交替部７０をそれぞれ保管しなければならないようになっているため、保管が容易でなく携帯し難い。
【０００７】
また、ブラシ台１０に取り付けるブラシを他のものに交替する時、ブラシ自体を立てて置くことが困難であり（ブラシ台は、蓋に固定されているため）マスカラ液がテーブルなどに付いて周辺が汚れてしまう。
【０００８】
また、ブラシ台１０に取り付けられ状態のブラシを交替のために抜き出す時、手でマスカラ毛４１を持って引っ張らなければならないので、毛が損傷したり、マスカラ液が手に付いたりして取扱が非常に難しい。
【０００９】
本発明は、前記問題点に鑑みてなされたものであり、その目的とするところは、交替、携帯、保管が非常に容易なメーキャップ用塗布具及びこれを用いた塗布化粧品を提供することにある。
【課題を解決するための手段】
【００１０】
本発明は前記目的を達成するために、請求項１では、塗布部と、前記塗布部を支持する支持キャップと、前記支持キャップの内周面に形成される雌ねじ部とを備えている。これにより、支持キャップを底に置く時に立てることが容易なので、他のものに交替しても臨時保管が容易である。
【００１１】
また、請求項２では、請求項１のメーキャップ用塗布具において、前記塗布部を、マスカラブラシと、前記マスカラブラシを支持する鉄線と、一端が前記鉄線を支持し、他端が前記支持キャップに固定されるブラシ台とから構成しているので、マスカラとして用いることが可能となる。
【００１２】
また、請求項３では、請求項２のメーキャップ用塗布具において、前記マスカラブラシを、径の大きい第１マスカラブラシと、前記第１マスカラブラシより径の小さい第２マスカラブラシとから構成し、前記第２マスカラブラシを、前記第１マスカラブラシに対して傾斜するように配置している。これにより、径の差によって、上睫の短い部位と下睫に精密な塗布が容易であり、傾斜より睫の模様によってワンステップで便利にメーキャップをすることができる。
【００１３】
また、請求項４では、請求項１のメーキャップ用塗布具において、前記塗布部を、リップスティックブラシと、前記リップスティックブラシを支持する芯部と、一端が前記芯部を支持し、他端が前記支持キャップに固定されるブラシ台とから構成しているので、リップスティックとして用いることが可能となる。
【００１４】
また、請求項５では、外周面に雄ねじ部が形成された容器と、前記容器に締結された塗布具と、前記塗布具が着脱可能に支持された取っ手とを備え、前記塗布具は、前記容器内に収容される塗布部と、前記塗布部が支持され、前記取っ手に着脱可能に挿入される支持キャップと、前記支持キャップの内周面に形成され、前記雄ねじ部と締結される雌ねじ部を有している。これにより、容器に締結されている塗布具は、キャップの役割をしながら、締結した状態で容器を引っ張ると、塗布具と共に抜き出されるので、交替、保管、携帯、取扱が非常に容易である。
【００１５】
また、請求項６では、請求項５の塗布化粧品において、前記支持キャップの外周面に、結合突起を設け、前記取っ手の内周面には、前記結合突起と結合する結合溝を設けている。これにより、任意的に塗布具が取っ手から抜き出されることを確実に防止することができる。
【発明の効果】
【００１６】
本発明の実施例によるメーキャップ用塗布具及び塗布化粧品によれば、塗布具を支持した支持キャップが取っ手に着脱可能に結合されるので、塗布具を立てて置くことが非常に容易であり、塗布具のブラシ台を持って引っ張ると取っ手から抜けるので、ブラシを交換可能なマスカラと比較して手に付く液は少量であり、支持キャップが容器にねじ締結されているので、塗布具を交替する時、容器を持って引っ張ると取っ手から抜けるので、交替、保管、取扱が非常に容易である。
【図面の簡単な説明】
【００１７】
【図１】本発明の一実施形態を示すマスカラを分離図示した斜視図である。
【図２】図１の結合断面図である。
【図３】マスカラの用途に応じる使用状態を示した斜視図である。
【図４】マスカラとリップスティックを分離図示した斜視図である。
【図５】従来マスカラを分離図示した断面図である。
【発明を実施するための形態】
【００１８】
以下、本発明の好ましい実施例を添付した図面に基づいて説明する。
【００１９】
図１はマスカラを分離図示した斜視図、図２は図１の結合断面図、図３はマスカラの用途に従う使用状態を示した斜視図である。
【００２０】
図１及び図２に示すように、本実施例による塗布化粧品のうち１つであるマスカラ１００は、容器１３０と、該容器１３０に締結される塗布具１７０と、塗布具１７０が着脱可能に支持される取っ手１２０とから構成されている。
【００２１】
容器１３０は、塗布部１８０のマスカラブラシ１４０に塗布されるマスカラ液Ｌが入れられる容器である。
【００２２】
また、図３に示すように、容器１３０は、用途に応じて、ロングラッシュまたはカーリングのためのマスカラ液Ｌが詰められている容器１００Ａ、リップラインのためのリップグロス液が詰められている容器１００Ｂ、マスカラを落とすためのリムーバー液が詰められている容器１００Ｃ等であっても良い。
【００２３】
また、容器１３０の外周面には、雄ねじ部１９０ｂが形成され、該雄ねじ部１９０ｂと容器１３０との境界部分には段１３８が形成されている。
【００２４】
塗布具１７０は、容器１３０内に収容される塗布部１８０と、塗布部１８０を支持する支持キャップ１１０とから構成されている。
【００２５】
塗布部１８０は、鉄線１５０にマスカラ毛を取り付けることにより構成されたマスカラブラシ１４０と、鉄線１５０を支持するブラシ台１６０とから構成されている。
【００２６】
マスカラブラシ１４０は、用途に応じて、ロングラッシュ用はストレート形、ボリューム用は台形、カーリング用はラグビーボール形が用いられる。
【００２７】
このようなマスカラブラシ１４０は、その用途に適合するマスカラ液Ｌが詰められた容器１００Ａ、１００Ｂ、１００Ｃに収容される。また、他の内容物（リップグロス、リムーバー）にも用いることも可能である。
【００２８】
特に、本実施例のマスカラブラシ１４０は、大きい径Ｄの第１マスカラブラシ１４１と、第１マスカラブラシ１４１より小さい径ｄの第２マスカラブラシ１４３とから構成されている。第２マスカラブラシ１４３は自由端側（縁端側）に配置されることが好ましい。第１マスカラブラシ１４１は、一般にマスカラブラシと呼ばれ、第２マスカラ１４３はアンダーマスカラブラシと呼ばれている。
【００２９】
第１マスカラブラシ１４１は、メインブラシであり、用途に適合した形状のブラシを用いればよい。このような構成によると、１つのブラシで上睫と、短い下睫の両方を手軽に、またすっきりと塗ることができる。また、第２マスカラブラシ１４３は、第１マスカラブラシ１４１に対して傾斜角度ａを成すように設けられていることが好ましい。この傾斜角度ａは、２３〜２７度ほどが好ましく、睫の模様によってワンステップで便利に用いることができる。
【００３０】
ブラシ台１６０の一端には鉄線１５０が挿入固定され、ブラシ台１６０の他端は支持キャップ１１０に固定されている。
【００３１】
支持キャップ１１０は、底板１１４と側壁板１１６からなる凹溝形状である。また、支持キャップ１１０の側壁板１１６の内周面には雌ねじ部１９０ａが形成されている。即ち、塗布具１７０は、雌ねじ部１９０ａと雄ねじ部１９０ｂとが締結／解除されることで、容器１３０に対して着脱されるようになる。従って、支持キャップ１１０は、容器１３０のメイン蓋の役割をする。
【００３２】
また、支持キャップ１１０と容器１３０がねじ締結されている状態で、容器１３０を持って引っ張ると、支持キャップ１１０が取っ手１２０から手軽に抜き出すことができるので、図４に示すように、交替、取扱、携帯が非常に容易である。
【００３３】
底板１１４には、ブラシ台１６０の下端が固定されているので、従来のものと比較しても、ブラシ台１６０を持って引っ張った場合に、ブラシ１４０は影響を受けず、手に付くマスカラ液Ｌも少なく、塗布具１７０を取っ手１２０から分離することができる。
【００３４】
また、支持キャップ１１０の構成で、塗布具１７０を分離して平面上に置くと、底板１４１によってまっすぐ立てることができるので、交替などの取扱が非常に容易である。
【００３５】
ここで、支持キャップ１１０の底は、底板１４１で形成されているが、立てて置くことができる形状であれば、どのような形状であっても良い。
【００３６】
取っ手１２０には、支持キャップ１１０が着脱可能に挿入支持されるようになっている。取っ手１２０の上端１２８は、容器１３０の段１３８が引っ掛かることにより、取っ手１２０の内部に容器１３０が更に進入することを防止するストッパの機能をするようになっている。
【００３７】
また、取っ手１２０の内周面には円周方向に結合溝１１１ｂが形成され、支持キャップ１１０の外周面には結合溝１１１ｂに対応する結合突起１１１ａが形成されていることが好ましい。結合突起１１１ａと結合溝１１１ｂの構成によって、支持キャップ１１０が取っ手１２０から任意に外れることを確実に防止することができる。
【００３８】
また、取っ手１２０の内周面に長手方向に結合突起１１３ｂを形成し、支持キャップ１１０の外周面に結合突起１１３ｂに対応する結合溝１１３ａをさらに形成するようにしても良い。
【００３９】
更に、取っ手１２０には、支持キャップ１１０が 更に深く進入しないように安着板１２５が形成されることが好ましい。これは、容器１３０と支持キャップ１１０との締結が解除された時、任意に支持キャップ１１０が取っ手１２０の中に入り込むことを防止するものである。従って、安着板１２５に底板１１４が接触すると、それ以上支持キャップ１１０が入らなくなる。底板１１４が安着板１２５に面接触すると、接着力が大きくなって塗布具１７０を分離する時に大きい力が必要になる。これを解消するために、図２に示すように、底板１１４を側壁板１１６に対して若干内側に入るように配設し、側壁板１１６の縁１１６ａが安着板１２５に接触するようにする。反対に、安着板１２５を中央が貫通されている安着段の形態にすると、底板１１４の底面と側壁板１１６の底面に差？を置く必要がない。
【００４０】
図４は、マスカラとリップスティックを分離図示している斜視図である。
【００４１】
リップスティック３００は、マスカラ１００と同様に、用途に応じてリップスティック液が詰められている容器３３０と、リップスティック塗布具３７０と、取っ手１２０とから構成されている。
【００４２】
塗布具３７０は、リップスティックブラシ３４０と、リップスティックブラシ３４０を支持する芯部３５０と、一端は芯部３５０を支持し、他端は支持キャップ１１０に固定されるブラシ台１６０とから構成されている。
【００４３】
リップスティックブラシ３４０は、唇に塗るものであってマスカラブラシとは異なり布材質からなる。布材質のリップスティックブラシ３４０は、芯部３５０に被せられて固定される。
【００４４】
塗布具３７０は、容器３３０とねじ締結され、取っ手１２０から着脱可能に設けられている。
【００４５】
図４に示すように、取っ手１２０の一端及び他端には、マスカラ１００とリップスティック３００を着脱可能に設けることにより、デュアル形態で用いることができる。
【００４６】
前述のように、本発明の好ましい実施例を参照して説明しているが、下記の特許請求の範囲に記載の本発明の思想及び領域から外れない範囲内において本発明を多様に変更または変形して実施できるのは、該当の技術分野の当業者であれば自明であると言える。
【産業上の利用可能性】
【００４７】
本発明は、マスカラとリップスティックの使用方法を説明するが、睫や唇に塗布する塗布具を有する化粧品容器にも適用可能である。
【符号の説明】
【００４８】
１００…マスカラ、１１０…支持キャップ、１１１ａ…結合突起、１１１ｂ…結合溝、１３０…容器、１４０…マスカラブラシ、１４１…第１マスカラブラシ、１４３…第２マスカラブラシ、１５０…鉄線、１６０…ブラシ台、１７０…塗布具、１８０…塗布部、１９０ａ…雌ねじ部、１９０ｂ…雄ねじ部。
【図１】
2010012223.tif 000003
【図２】
2010012223.tif 000004
【図３】
2010012223.tif 000005
【図４】
2010012223.tif 000006
【図５】
2010012223.tif 000007